(57)【要約】【課題】取り扱い易く、かつ、確実に養生することを可能とした養生シートを提供する。【解決手段】矩形状のシート本体２と、シート本体２の第一の辺２１に沿ってシート本体２の表面に形成された第一の連結手段３１と、第一の辺２１と交わる第二の辺２２に沿ってシート本体２の表面に形成された第二の連結手段３２と、第一の辺２１と対向する第三の辺２３に沿ってシート本体２の裏面に形成された第三の連結手段３３と、第二の辺２２と対向する第四の辺２４に沿ってシート本体２の裏面に形成された第四の連結手段３４とを備える養生シート１であって、第一の連結手段３１および第二の連結手段３２は、第三の連結手段３３または第四の連結手段３４と連結可能に構成されており、各連結手段３はシート本体２の周縁よりも当該シート本体２の中央側に位置している。【選択図】図１
0003180122.tif 000002
【実用新案登録請求の範囲】
【請求項１】
矩形状のシート本体と、
前記シート本体の第一の辺に沿って、当該シート本体の表面に形成された第一の連結手段と、
前記第一の辺と交わる第二の辺に沿って、前記シート本体の表面に形成された第二の連結手段と、
前記第一の辺と対向する第三の辺に沿って、前記シート本体の裏面に形成された第三の連結手段と、
前記第二の辺と対向する第四の辺に沿って、前記シート本体の裏面に形成された第四の連結手段と、を備える養生シートであって、
前記第一の連結手段は、他の養生シートにおける第三の連結手段と連結可能に構成されており、
前記第二の連結手段は、他の養生シートにおける第四の連結手段と連結可能に構成されており、
前記各連結手段は、前記シート本体の周縁よりも当該シート本体の中央側に位置していることを特徴とする養生シート。
【請求項２】
前記各連結手段は、線ファスナーの雄部材または雌部材であり、
前記第一の連結部材および前記第二の連結手段のうちの少なくとも一方は、端部以外の部分において前記シート本体に固定されていることを特徴とする、請求項１に記載の養生シート。
【請求項３】
前記シート本体の四隅に貫通孔が形成されていることを特徴とする、請求項１または請求項２に記載の養生シート。
【考案の詳細な説明】
【技術分野】
【０００１】
本考案は、養生シートに関する。
【背景技術】
【０００２】
法面や資材等を保護する場合には、合成樹脂シート（いわゆるブルーシート）等の養生シートにより覆うのが一般的である。
【０００３】
養生シートは、既成の寸法に形成されている。そのため、法面養生や資材養生等を行う場合には、養生の対象となる場所や大きさに応じた大きさの養生シートを選択して使用する必要がある。
【０００４】
ところが、養生の対象物に適合した大きさの養生シートがある場合は少なく、養生シートの選択が難しかった。
また、大型の養生シートは取り扱い難く、作業に手間取る場合があるため、特に、地山の状態や天候の変化に対応して早期に作業を行う必要がある法面養生や、災害復旧のように広範囲に対して迅速に養生を行う必要がある場合等のように、緊急性を要する広範囲の養生には不向きであった。
【０００５】
また、養生シートにより広範囲を覆う場合には、養生シート同士をピン打ちやロープ等により結束することで繋ぎ合わせる必要があるが、その作業には手間がかかる。
【０００６】
そのため、養生シート同士の連結を簡易に行うことを目的として、周縁にファスナーが取り付けられた養生シートが使用される場合がある。この養生シートを使用すれば、所定の範囲の養生作業を簡易に行うことができる。
【０００７】
ところが、周縁にファスナーを有する養生シートを使用すると、養生シート同士の繋ぎ目（ファスナー）から雨水等が浸み込んでしまう。
【考案の概要】
【考案が解決しようとする課題】
【０００８】
本考案は、前記の問題点を解決することを目的とするものであり、取り扱い易く、かつ、確実に養生することを可能とした養生シートを提供することを課題とする。
【課題を解決するための手段】
【０００９】
前記課題を解決するために、本考案の養生シートは、矩形状のシート本体と、前記シート本体の第一の辺に沿って当該シート本体の表面に形成された第一の連結手段と、前記第一の辺と交わる第二の辺に沿って前記シート本体の表面に形成された第二の連結手段と、前記第一の辺と対向する第三の辺に沿って前記シート本体の裏面に形成された第三の連結手段と、前記第二の辺と対向する第四の辺に沿って前記シート本体の裏面に形成された第四の連結手段とを備えるものであって、前記第一の連結手段は他の養生シートにおける第三の連結手段と連結可能に構成されていて、前記第二の連結手段は他の養生シートにおける第四の連結手段と連結可能に構成されており、前記各連結手段は前記シート本体の周縁よりも当該シート本体の中央側に位置していることを特徴としている。
【００１０】
かかる養生シートによれば、連結手段を介して養生シート同士を簡易に連結することができる。そのため、所望の範囲を簡易迅速に覆うことが可能である。
このような連結手段としては、線上に並んだ務歯を噛合させる線ファスナー、フック面とループ面とを貼合させる面ファスナーやボタン等を利用した点ファスナー等を使用すればよい。
【００１１】
また、複数の養生シートを組み合わせることで、所望の大きさに形成することができるため、大型の養生シートを用いる必要がなく、取り扱い性に優れている。
連結手段は、シート本体の内側に位置しているため、養生シート同士の繋ぎ目は重ね合わされるようになり、したがって、雨水等の浸透を緩和あるいは防止することができる。
【００１２】
前記各連結手段が線ファスナーの雄部材または雌部材である場合において、前記第一の連結部材および前記第二の連結手段のうちの少なくとも一方が、端部以外の部分において前記シート本体に固定されていれば、連結手段同士の交差部分（角部）における連結作業を簡易に行うことができる。
【００１３】
また、前記シート本体の四隅に貫通孔が形成されていれば、貫通孔を利用して養生シートを固定することが可能となる。
【考案の効果】
【００１４】
本考案の養生シートによれば、取り扱い易く、かつ、確実に養生することが可能となる。
【図面の簡単な説明】
【００１５】
【図１】本考案の実施形態に係る養生シートを示す斜視図である。
【図２】図１の養生シートの一部を示す拡大斜視図である。
【図３】複数の養生シートの連結状況を示す平面図である。
【考案を実施するための形態】
【００１６】
本実施形態では、養生シート１を使用して法面養生を行う場合について説明する。なお、養生シート１の使用目的は、法面養生に限定されるものではなく、例えば、斜面や資材等の養生に使用してもよい。
【００１７】
本実施形態の養生シート１は、図１に示すように、シート本体２と、連結手段３と、貫通孔４とを備えて構成されている。
【００１８】
シート本体２は、矩形状に形成された合成樹脂製のシート材（いわゆるブルーシート）である。なお、シート本体２の材質は限定されるものではない。また、シート本体２の厚さや縦横の寸法も限定されるものではなく、適宜設定すればよい。
【００１９】
シート本体２には、四辺に沿って、連結手段３が配設されている。また、シート本体２の四隅には、貫通孔４，４，…が形成されている。
連結手段３は、シート本体２の四辺の内側（周縁よりも中央側）に固定されている。
【００２０】
連結手段３は、シート本体２の第一の辺２１に沿ってシート本体２の表面に形成された第一の連結手段３１と、第一の辺２１と交わる第二の辺２２に沿ってシート本体２の表面に形成された第二の連結手段３２と、第一の辺２１と対向する第三の辺２３に沿ってシート本体２の裏面に形成された第三の連結手段３３と、第二の辺２２と対向する第四の辺２４に沿ってシート本体２の裏面に形成された第四の連結手段３４とからなる。
【００２１】
つまり、シート本体２の表面および裏面には、それぞれＬ字状の連結手段３（第一の連結手段３１、第二の連結手段３２または第三の連結手段３３、第四の連結手段３４）が固定されている。
【００２２】
第一の連結手段３１および第二の連結手段３２は、線ファスナーの雄部材であり、第三の連結手段３３および第四の連結手段３４は、線ファスナーの雌部材である。
つまり、第一の連結手段３１および第二の連結手段３２は、他の養生シートの第三の連結手段３３または第四の連結手段３４と連結可能である。
【００２３】
なお、第一の連結手段３１および第二の連結手段３２を線ファスナーの雌部材とし、第三の連結手段３３および第四の連結手段３４を線ファスナーの雄部材としてもよい。
【００２４】
第一の連結手段３１は、第四の連結手段３４から第二の辺２２に至る長さを有している。また、第一の連結手段３１は、全長にわたってシート本体２に縫い付けられている。
【００２５】
第二の連結手段３２は、第一の辺２１から第三の辺２３に至る長さを有している。
第二の連結手段３２は、図２に示すように、端部以外の部分において、シート本体２に縫い付けられている。つまり、第二の連結手段３２の両端部は、シート本体２に固定されておらず、シート本体２から離間可能である。
【００２６】
第三の連結手段３３は、第四の連結手段３４から第二の辺２２に至る長さを有している。また、第三の連結手段３３は、全長にわたってシート本体２に縫い付けられている。
【００２７】
第四の連結手段３４は、第一の辺２１から第三の辺２３に至る長さを有している。
また、第四の連結手段３４は、全体がシート本体２に縫い付けられている。
【００２８】
なお、各連結手段３（第一の連結手段３１乃至第四の連結手段３４）の長さや固定範囲は限定されるものなく、養生シート１同士を隙間なく連結することが可能となるように適宜設定すればよい。
また、連結手段３の固定方法は限定されるものではない。例えば、接着により固定してもよい。
【００２９】
貫通孔４は、図１に示すように、シート本体２を貫通している。貫通孔４の周縁には、補強リング４５が固定されている。なお、補強リング４５は、必要に応じて固定すればよい。
【００３０】
貫通孔４は、図１に示すように、第一の辺２１と第二の辺２２との角部に設けられた第一貫通孔４１と、第二の辺２２と第三の辺２３との角部に設けられた第二貫通孔４２と、第三の辺２３と第四の辺２４との角部に設けられた第三貫通孔４３と、第四の辺２４と第一の辺２１との角部に設けられた第４貫通孔４４とを備えている。
【００３１】
各貫通孔４は、養生シート１同士を組み合わせた際（シート本体２の端部同士を重ねた際）に、互いに重なり合う位置に形成されている。
本実施形態の第一貫通孔４１は、第一の連結手段３１と第二の連結手段３２との交差部よりも内側（シート本体２の中心側）に形成されている。
【００３２】
また、第二貫通孔４２は、第二の連結手段３２よりも第４の辺２４側であって、第三の連結手段３３よりも第三の辺２３側に形成されている。
また、第三貫通孔４３は、第三の連結手段３３および第四の連結手段３４よりも外側（シート本体２の中心と反対側）に形成されている。
【００３３】
さらに、第四貫通孔４４は、第四の連結手段３２よりも第４の辺２４側であって、第一の連結手段３１よりも第三の辺２３側に形成されている。
なお、各貫通孔４の配置は、限定されるものではない。
【００３４】
養生シート１は、図３に示すように、縦横に並設された他の養生シート１，１と連結することにより、所定の範囲を養生する。
【００３５】
横方向に並ぶ養生シート１同士の連結は、一方の養生シート１の第一の辺２１側の縁部の上に、他方の養生シート１の第三の辺２３側の縁部を重ね合せ、一方の養生シート１の第一の連結手段３１と他方の養生シートの第三の連結手段３３とを連結することにより行う。
【００３６】
縦方向に並ぶ養生シート１同士の連結は、一方の養生シート１の第二の辺２２側の縁部の上に、他方の養生シート１の第四の辺２４側の縁部を重ね合せ、一方の養生シート１の第二の連結手段３２と他方の養生シート１の第四の連結手段３４とを連結することにより行う。
【００３７】
養生シート１の固定は、貫通孔４を貫通した固定部材（ペグ等）を地面に挿し込むことにより行えばよい。
【００３８】
以上、本実施形態の養生シート１によれば、他の養生シート１との連結を、互いの連結手段３を介して簡易に行うことができる。そのため、法面等のように、養生対象域が広範囲にわたる場合であっても、簡易迅速に覆うことができる。
【００３９】
複数の養生シート１を組み合わせることで、所望の範囲（必要な面積）を養生することができるため、大型の養生シートを用いる必要がなく、取り扱い性に優れている。そのため、持ち運びから法面養生までの作業を簡易に行うことができる。
【００４０】
養生シート１同士を連結することで、互いの端部が重なり合うため、養生シート１同士の継目からの雨水等の浸透を緩和あるいは防止することできる。
また、養生シート１の繋ぎ目等から風が入り込んで、めくれることも防止することができる。
【００４１】
養生シート１の貫通孔４を利用することで、簡易に固定することができる。貫通孔４は、補強リング４１により補強されているため、風圧等により、貫通孔４からシート本体２が裂けることが防止されている。
【００４２】
第二の連結手段３２が端部以外の部分においてシート本体２に固定されているため、連結手段３同士の交差部分（角部）における第二の連結手段３２と第四の連結手段３４との連結を行うことができる。つまり、最大４枚のシート本体２，２，…が重なる箇所において、第二の連結手段３２と第四の連結手段３４との間に他のシート本体２が入り込む場合であっても、第二の連結手段３２の端部を他のシート本体２の上面に配置させることで、第四の連結手段３４と連結させることができる。
【００４３】
以上、本考案に係る実施形態について説明した。しかし、本考案は、前述の実施形態に限られず、前記の各構成要素については、本考案の趣旨を逸脱しない範囲で、適宜変更が可能である。
【００４４】
例えば、連結手段３は、必ずしも線ファスナーである必要はなく、面ファスナー（例えば、マジックテープ（登録商標）等）や点ファスナー（例えば、ボタン等）等であってもよい。
貫通孔４は、必要に応じて形成すればよく、省略してもよい。
【符号の説明】
【００４５】
１    養生シート
２    シート本体
２１  第一の辺
２２  第二の辺
２３  第三の辺
２４  第四の辺
３    連結手段
３１  第一の連結手段
３２  第二の連結手段
３３  第三の連結手段
３４  第四の連結手段
４    貫通孔
【図１】
0003180122.tif 000003
【図２】
0003180122.tif 000004
【図３】
0003180122.tif 000005